Podtech/llm-jp-corpus-v4-ja_patent huggingface dataset:
(57)【要約】      （修正有）【課題】一見して人間の毛髪が織り込まれていることが明白な状態で、且つ見た目にも美しく、長期間の保存に耐えうる布地を提供する。【解決手段】毛髪織り込み布地は、偉大な業績を残したかけがえのない故人を偲その遺志と不滅の魂の加護を願うための故人の遺髪や、新しい生命の誕生を歓迎しその健やかなる成長と健康とを祈念するための新生児の産毛などの人間の毛髪を、紛失・散逸させることなく保存すると共に身に着けるための織物であって、所望の位置の横糸の表面側に防カビ処理を施した毛髪が添着して織り込まれていることを特徴とする。【選択図】図１
0003123367.tif 000002
【実用新案登録請求の範囲】
【請求項１】
偉大な業績を残したかけがえのない故人を偲びその遺志と不滅の魂の加護を願うための故人の遺髪や、新しい生命の誕生を歓迎しその健やかなる成長と健康とを祈念するための新生児の産毛などの人間の毛髪を、紛失・散逸させることなく保存すると共に身に着けるための織物であって、
所望の位置の横糸の表面側に、毛髪が添着して織り込まれていることを特徴とする毛髪織り込み布地。
【請求項２】
前記毛髪は、織り込み前に防カビ処理を施された毛髪であることを特徴とする請求項１記載の毛髪織り込み布地。
【請求項３】
請求項１記載の毛髪織り込み布地を用い、束帯・衣冠・直衣の袍、狩衣、浄衣などに仕立てたことを特徴とする毛髪織り込み装束。
【考案の詳細な説明】
【技術分野】
【０００１】
本考案は、人間の毛髪を織り込み加工した布地とそれを用いた装束に関する。
【背景技術】
【０００２】
従来、偉大な業績を残したかけがえのない故人を偲びその遺志と不滅の魂の加護を願うための故人の遺髪や、新しい生命の誕生を歓迎しその健やかなる成長と健康とを祈念するための新生児の産毛などの、人間の毛髪を大切に保管することが行われていた。
【０００３】
しかし、そのまま保管するとバラバラになる・紛失する・カビが生える・バサバサで見た目も悪い問題があった。
【０００４】
従来、遺髪を粘土に織り込んで、焼き物にすることが行われているが、一見しただけではどこに髪の毛があるのか分らないものであった。
【０００５】
特許文献１には、卓上型の手織り機が開示されている。この考案では、横糸を均一に整えつつ織り込むことが容易で、横糸の種類を幅広く選択可能であった。
【０００６】
【特許文献１】実用新案登録第３０９４１０２号公報（第２頁、第図１）
【考案の開示】
【考案が解決しようとする課題】
【０００７】
一見して人間の毛髪が織り込まれていることが明白な状態で、且つ見た目にも美しく、長期間の保存に耐えうる布地を提供することを課題とする。
【課題を解決するための手段】
【０００８】
本考案の毛髪織り込み布地は、偉大な業績を残したかけがえのない故人を偲びその遺志と不滅の魂の加護を願うための故人の遺髪や、新しい生命の誕生を歓迎しその健やかなる成長と健康とを祈念するための新生児の産毛などの人間の毛髪を、紛失・散逸させることなく保存すると共に身に着けるための織物であって、
所望の位置の横糸の表面側に、毛髪が添着して織り込まれていることを特徴とする。
【０００９】
また、前記毛髪は、織り込み前に防カビ処理を施された毛髪であることを特徴とする。
【００１０】
また、本考案の毛髪織り込み装束は、請求項１記載の毛髪織り込み布地を用い、束帯・衣冠・直衣の袍、狩衣、浄衣などに仕立てたことを特徴とする。
【考案の効果】
【００１１】
本考案によれば、偉大な業績を残したかけがえのない故人を偲びその遺志と不滅の魂の加護を願うための故人の遺髪や、新しい生命の誕生を歓迎しその健やかなる成長と健康とを祈念するための新生児の産毛などの、人間の毛髪を大切に保管することができる。
【００１２】
また、本考案の毛髪織り込み布地を用い、束帯・衣冠・直衣の袍、狩衣、浄衣などに仕立てれば、展示のみならず、身に着けることにより故人を偲ぶ行事や、人生の節目の行事に用いることができる。
【考案を実施するための最良の形態】
【００１３】
本考案の毛髪織り込み布地の実施の形態を図面を参照して説明する。
【００１４】
図１は、平織りに毛髪を織り込んだ実施の形態を示す平面図である。
【００１５】
図に示すように、縦糸２と横糸１からなる平織り布地１０の任意の場所の横糸１の表面側に毛髪３を添わせて織り込みを行ったものである。
【００１６】
織り込みは、手織り機を用いて行うことによれば、任意の横糸に毛髪を添わせることができると共に、布地の途中に織り込むことで、前後の横糸にきっちり押さえられ布地と一体となる。
【００１７】
尚、縦糸２は、引っ張りに強いものを用いるが、横糸１は強度に拘わらず任意の素材を用いてもよい。しかし、毛髪を織り込んだ際に、毛髪を際立たせる素材、色合いを選ぶことが望ましい。
【００１８】
尚、織り込む毛髪は、織り込む前に、予め防カビ剤を塗布しておくことで、毛髪織り込み布地のカビ発生を防止する。
【００１９】
新生児の産毛など、短毛で細い毛髪を織り込む際には、横糸１の織り込み部分の長さに水溶性糊を塗布し、水溶性糊が乾かないうちに産毛を貼付し、横糸１を織り込むことで、任意の布地部分に産毛を織り込むことができる。
【００２０】
尚、産毛を織り込まれた布地の場合、水溶性糊を水洗いで除けばよい。
【００２１】
図２は、浮き織り布地に毛髪を織り込んだ実施の形態を示す平面図である。
【００２２】
浮き織り布地１１は、模様として横糸１を表面に織り込む箇所では、縦糸２の上部に横糸１を通す織物であり、この実施の形態では、５本の縦糸２の上部に横糸が浮かせられて浮かせる横糸１の表面側に毛髪を添わせて織り込んだものである。
【００２３】
この実施例のように、浮き織りとすれば、織り込んだ毛髪を更に際立たせることができる。また、毛髪織り込み布地は、例示した織り方に限ることなく、様々な織りに適用することができる。
【００２４】
本考案の実施に当たっては、織機を一端止めて、縦糸間に挿通された横糸に毛髪を添わせる作業を行うが、短い寸法の布地であれば、手織り機により実施することもできる。
【００２５】
図３は、本考案の毛髪織り込み布地を用いて縫製された狩衣の正面図である。
【００２６】
図に示すように、狩衣２０の胸の部分に、毛髪が織り込まれた浮き織り布地１１が用いられ、模様を形成している。
【００２７】
図示しないが、毛髪織り込み装束としては、束帯・衣冠・直衣の袍、浄衣などに仕立てることにより、毛髪が形を変えた姿で保存され、着用されるものとすることができる。
【図面の簡単な説明】
【００２８】
【図１】平織り布地に毛髪を織り込んだ実施の形態を示す平面図である。
【図２】浮き織り布地に毛髪を織り込んだ実施の形態を示す平面図である。
【図３】本考案の毛髪織り込み布地を用いて縫製された狩衣の正面図である。
【符号の説明】
【００２９】
１    横糸
２    縦糸
３    毛髪
１０    平織り布地
１１    浮き織り布地
２０    狩衣
【図１】
0003123367.tif 000003
【図２】
0003123367.tif 000004
【図３】
0003123367.tif 000005
(57)【要約】      （修正有）【課題】マイクロカメラが装着された口腔照明灯具構造の提供。【解決手段】本考案のマイクロカメラが装着された口腔照明灯具構造は、主に、マイクロカメラ、及び、口腔照明灯具、からなり、更に、デンタルミラーを合わせて使用するもので、マイクロカメラは口腔無影照明灯具前端の透明カバー外に装着される。口腔照明灯具の光源により、口腔内部を照明し、デンタルミラーによる反射により、前端のマイクロカメラで撮影し、ディスプレイに伝送し、口腔内部の情況を拡大検視、記録すると共に、医療動作を補助し、且つ、儀器を準備したり、使用後の洗浄、メンテナンス、及び、消毒等の面倒な作業をしなくてもよいので、臨床使用、及び、便利性が増加する。【選択図】図３
0003123349.tif 000002
【実用新案登録請求の範囲】
【請求項１】
マイクロカメラが装着された口腔照明灯具構造であって、主に、マイクロカメラ、及び、口腔照明灯具、からなり、更に、デンタルミラー等を合わせて使用するもので、その特徴は、前記マイクロカメラは前記口腔照明灯具の透明カバー外に装着され、前記口腔照明灯具の光源により、口腔内部を照明し、前記デンタルミラーによる反射により、前端のマイクロカメラで撮影して、ディスプレイに伝送し、口腔内部の情況を拡大検視、記録することができることを特徴とする口腔照明灯具構造。
【請求項２】
前記マイクロカメラは前記口腔照明灯具前端の任意の箇所、及び、類似する照明灯具の前端に設置できることを特徴とする請求項１に記載の口腔照明灯具構造。
【請求項３】
前記マイクロカメラは無影灯具上に設置されることを特徴とする請求項１に記載の口腔照明灯具構造。
【請求項４】
前記マイクロカメラはマイクロフォンを装着して録音操作も実行できることを特徴とする請求項１に記載の口腔照明灯具構造。
【考案の詳細な説明】
【技術分野】
【０００１】
本考案はマイクロカメラが装着された口腔照明灯具構造に関し、詳細には、医療スタッフが口腔内を検査、記録する設備で、マイクロカメラ、及び、光源設備を口腔内に伸入させることなく、非接触性の検査で、患者に不快感を与えず、儀器を予め準備することや、使用後の洗浄、メンテナンス、消毒等の面倒な作業が不要で、臨床使用や便利性が増加し、人による作業が不要で、全操作と記録が完成されるマイクロカメラが装着された口腔照明灯具構造に関する。
【背景技術】
【０００２】
医療用儀器、及び、技術発展は快速で、口腔内カメラの使用も増えている。公知の口腔内カメラ設備は、光源、及び、マイクロカメラ等からなり、口腔内に伸入させるので、患者は異物が口腔に入る不快感があり、また、感染の可能性も増える。この他、狭い口腔内で、医療行為を行わなければならず、必ず、人員による協力がないと操作できず、コストがかかる。
【０００３】
公知の口腔内カメラは、感染等の衛生面の問題があり、一層のナイロン袋をレンズに覆い、映像が不鮮明であると共に、患者の口中の不快感があり、儀器使用前後の収取、洗浄、メンテナンスも人力を必要とし、使用、及び、便利性が減少する。
【考案の開示】
【考案が解決しようとする課題】
【０００４】
本考案の目的は、マイクロカメラを装着する口腔照明灯具（或いは、類似の耳鼻咽喉科が用いる照明灯具）で、マイクロカメラと照明灯具光源により口腔内部を照明し、更にデンタルミラーを使用して、前端のマイクロカメラにより撮影し、ディスプレイに伝送した後、口腔内の状況を検視することができる口腔照明灯具を提供することにある。
【０００５】
本考案は、前端のマイクロカメラにより撮影し、ディスプレイに伝送した後、デジタル処理を施し、ファイルに保存、判断、教学等の用途も有し、医療過程でマイクを利用して録音を実行し、医者と患者、或いは、相関する音声で詳細に記録し、医療ミス等での争いを生じさせないことをもう一つの目的とする。
【０００６】
本考案は、医者による単独操作を可能にし、手助けを不要にすることを更なる目的とする。
【課題を解決するための手段】
【０００７】
上述の目的を達成するため、本考案のマイクロカメラが装着された口腔照明灯具構造は、主に、口腔照明灯、及び、マイクロカメラ、更に、デンタルミラー等から構成される。マイクロカメラは口腔照明灯具前端の透明カバー外に装着され、口腔照明灯具の光源により、口腔内部を照明し、デンタルミラーによる反射により、前端のマイクロカメラで撮影して、ディスプレイに伝送し、口腔内部の情況を拡大検視、記録する。
【考案の効果】
【０００８】
本考案により、検査が非接触的で、カメラが口腔内に伸入しないので、感染の確率を減少させ、患者に不快感を与えず、医療動作を補助し、助手による手助けも不要で、全操作、及び、記録が完成でき、口腔内部の状況が検視し易く、且つ、儀器を準備したり、使用後の洗浄、メンテナンス、及び、消毒等の面倒な作業をしなくてもよいので、臨床使用、及び、便利性が増加する。
【考案を実施するための最良の形態】
【０００９】
図１〜図３で示されるように、本考案の構造は、マイクロカメラ１０、及び、口腔照明灯具３０、からなり、合わせて、デンタルミラー５０等を使用し、主に、マイクロカメラ１０は照明灯具３０前端の透明カバー２０上に装着され、一般の口腔照明灯具内には、患者が眩しくないように遮光カバーが設置されている。マイクロカメラはその遮光カバーの前に設置でき、口腔照明灯具は放物線式反射であり、無影設計で、故に、反射鏡面４０により反射する照明用光線を阻止でき、口腔内部の照明を提供し、マイクロカメラにより撮影した画像をディスプレイに伝送して、検視、記録、及び、操作を便利にする。
【００１０】
図４で示されるように、マイクロカメラ１０は、必要に応じて、口腔照明灯具３０フレーム上に架設して、マイクロカメラ１０の適当な位置に録音設備６０を装着して、録音効果を備えさせることも出来る。
【図面の簡単な説明】
【００１１】
【図１】本考案の構造の立体システムを示す図である。
【図２】本考案の構造の立体図である。
【図３】本考案の実施操作例を示す図である。
【図４】本考案のもう一つの実施例を示す図である。
【符号の説明】
【００１２】
１０…マイクロカメラ
２０…透明カバー
３０…口腔照明灯具
４０…反射鏡面
５０…デンタルミラー        
６０…録音設備
【図１】
0003123349.tif 000003
【図２】
0003123349.tif 000004
【図３】
0003123349.tif 000005
【図４】
0003123349.tif 000006
(57)【要約】【課題】本考案は修正テープのケース本体に定規を設け、修正テープで消えた罫線を書き入れることを容易にする。【解決手段】本考案は、修正テープのケースに定規ａを設けて、修正テープで罫線の近くに書かれた文字や数字を消して、罫線まで消えてしまった時に、定規ａを使用することで、即座に罫線を引くことができる。【選択図】図１
0003123310.tif 000002
【実用新案登録請求の範囲】
【請求項１】
修正テープのケース本体に定規を設けて、修正テープと定規のそれぞれの機能を有することを特微とする定規付き修正テープ。
【考案の詳細な説明】
【技術分野】
【０００１】  本考案は、定規を設けた修正テープのケースに関するものである。
【背景技術】
【０００２】  罫線の近くに書いた文字や数字を修正テープで消すと、罫線まで消してしまうことがあり、定規を使用して罫線を書き入れていた。
【考案の開示】
【考案が解決しようとす課題】
【０００３】  修正テープで消えてしまった罫線を書き入れるのに、わざわざ定規を持ってきたり、探したりする手間は労働的負担である。従って、修正テープのケースに定規としての機能を一体化することで、前述の欠点を解決しようとするものである。
【課題を解決するための手段】
【０００４】  本考案は、修正テープのケースに定規が設けてあり、修正テープで消えた罫線をすぐに、書き入れることができる。
【考案の効果】
【０００５】  定規と修正テープのケースが一体化しているので、定規を他に用意することがない。これによって、労働的負担、また経済的不担が軽減されるものである。
【実施例】
【０００６】  以下、添付図面で一実施例を説明する。合成樹脂等適宜素材にて形成された修成正テープのケースに設けた定規ａによって、修正テープで消えてしまった罫線を書き入れる。
【図面の簡単な説明】
【０００７】
【図１】本考案の定規付き修正テープの正面図である。
【図２】定規部を含むケースの断面図である。
【符号の説明】
【０００８】ａ  定規
【図１】
0003123310.tif 000003
【図２】
0003123310.tif 000004
(57)【要約】【課題】超小型・超薄型変換器を提供する。【解決手段】筐体（１）、放熱装置（２）、プリント基板（６）、およびプリント基板（６）に配置された変換回路と冷却ファンを備える超小型・超薄型変換器において、当該プリント基板（６）と筐体（１）の間には風出口（１２）の対向側に一定のスペースを設け、プリント基板（６）は筐体（１）の内部を上下二つの風道に仕切り、当該冷却ファン（３）は風が軸方向から入って軸方向に垂直する方向から吹き出し、冷却ファン（３）により吸入された空気はプリント基板（６）の下側で二つの道に分かれてそれぞれ上下二つの道に沿って側面にある風出口（１２）に到着し、パワー電子スイッチ（４）と変圧器（５）はプリント基板（６）の両側の風道に設置される。【選択図】図１
0003123301.tif 000002
【実用新案登録請求の範囲】
【請求項１】
筐体（１）、放熱装置（２）、プリント基板（６）、およびプリント基板に配置された変換回路と冷却ファンを備える超小型・超薄型変換器において、前記プリント基板（６）と前記筐体（１）の間には風出口（１２）の対向側に一定のスペースを設け、前記プリント基板（６）は前記筐体（１）の内部を上下二つの風道に仕切り、前記冷却ファン（３）は風が軸方向から入って軸方向に垂直する方向から吹き出し、前記冷却ファン（３）により吸入された空気は前記プリント基板（６）の下側で二つの道に分かれてそれぞれ上下二つの風道に沿って側面にある前記風出口（１２）に到ることを特徴とする超小型・超薄型変換器。
【請求項２】
パワー電子スイッチ（４）は前記プリント基板（６）の上下両側の風道に設置されていることを特徴とする請求項１に記載の超小型・超薄型変換器。
【請求項３】
変圧器（５）は前記プリント基板（６）の上下両側の風道に設置されていることを特徴とする請求項１に記載の超小型・超薄型変換器。
【考案の詳細な説明】
【技術分野】
【０００１】
本実用新案は、変換器に関し、特に超小型・超薄型変換器に関する。
【背景技術】
【０００２】
従来の変換器は、電界効果トランジスター及び変圧器等の素子が作動する際に大量の熱を発生するため、特にパワーの大きい変換器の場合は、有効な放熱を保証するために筐体を大きくする必要がある。また、従来の変換器の冷却ファンはほとんど風が一端から入って他端から吹き出し、空気はプリント基板の片面を流れるように設置されて放熱効果が低い。さらに、冷却ファンの軸方向はプリント基板と平行し広いスペースを占めるため、変換器が厚くなり、体積が大きくなる。
【考案の開示】
【考案が解決しようとする課題】
【０００３】
しかしながら、現代の生活は迅速且つ便宜が求められ、超小型・超薄型変換器が消費者により期待されている。本考案者は従来の変換器の体積の大きい欠点に鑑みて改善を行った。
【０００４】
そこで、本実用新案の目的は超小型・超薄型変換器を提供することにある。
【課題を解決するための手段】
【０００５】
本実用新案の目的を実現するための技術方案は、筐体、放熱装置、プリント基板、及びプリント基板に配置された変換回路と冷却ファンを備える超小型・超薄型変換器であり、当該回路は、電源入力装置、過電流保護装置、入力フィルター装置、パワー電子スイッチ、制御回路、変圧器、高圧整流フィルター装置、高圧電子スイッチおよび出力接続部品を含み、これらの装置は電気回路によってそれぞれ接続され、プリント基板は変圧器と冷却ファンの取付け箇所で透かして変圧器と冷却ファンをその中に嵌め込み、筐体の上下両側にはパワー電子スイッチと密着した放熱装置が設置されている構成で、その特徴は、当該プリント基板と筐体の間には風出口の対向側に一定のスペースを設け、プリント基板は筐体内部を上下二つの風道に仕切り、当該冷却ファンは風が軸方向から入って軸方向に垂直する方向から吹き出し、冷却ファンにより吸入された空気はプリント基板の下側で二つの道に分かれてそれぞれ上下二つの風道に沿って側面にある風出口に到る。主な発熱素子パワー電子スイッチと変圧器はプリント基板の両側の風道に設置する。
【考案の効果】
【０００６】
上記設計により、本実用新案の超小型・超薄型変換器は厚さが大いに減少し、放熱効率が向上して、小型化、ハイパワーが図れる。
【考案を実施するための最良の形態】
【０００７】
以下、実施例に基づいて本実用新案について詳しく説明する。
【０００８】
図に示すように、筐体（１）の中にはプリント基板（６）を設置し、上下には放熱装置（２）を設置する。変換回路はプリント基板（６）の上下両側に配置し、当該変換回路は電源入力装置（図示せず）、過電流保護装置（図示せず）、冷却ファン（３）、入力フィルター装置（図示せず）、パワー電子スイッチ（４）、制御回路（図示せず）、変圧器（５）、高圧整流フィルター装置（図示せず）、高圧電子スイッチ（図示せず）および出力接続部品（図示せず）を含む。筐体（１）の上側の冷却ファンとの対応箇所には風入口（１１）を設け、片側には風出口（１２）を設け、風出口（１２）の対向側にはプリント基板（６）と筐体（１）との間で一定のスペースを設ける。プリント基板（６）には変圧器と冷却ファンの取付け箇所で透かして冷却ファン（３）をプリント基板（６）と軸方向に垂直して対応する透かし箇所に嵌め込み、変圧器（５）をプリント基板（６）の透かし箇所に対応して嵌め込む。二つのパワー電子スイッチ（４）はプリント基板（６）の上下両側にそれぞれ配置され、且つ放熱装置（２）とそれぞれ密着する。変換器が作動するとき、パワー電子スイッチ（４）は発熱を開始し、同時に冷却ファン（３）が作動を開始する。冷却ファン（３）は風入口（１１）から空気を吸入し、空気は冷却ファン（３）を通ってプリント基板（６）の下側で二つの道に分かれ、一つは右方向に進んで風出口（１２）から排出され、もう一つは左方向に進んでプリント基板（６）と筐体（１）に設けられたスペースを経由してプリント基板（６）の上側に到達し、さらに右方向に進んで風出口（１２）から排出される。右方向に進んだ空気は、途中で下側の放熱装置（２）の熱を持ち運んで下側のパワー電子スイッチ（４）を冷却し、左方向に進んだ空気は、上側の放熱装置（２）の熱を持ち運んで上側のパワー電子スイッチ（４）を冷却する。同時に上下二つの気流は変圧器（５）およびプリント基板（６）の両側にあるその他の放熱素子（図示せず）を冷却する。
【０００９】
本実用新案の保護範囲は上記実施例に限らず、本分野の一般技術者によく知られている様々な変化はすべて保護範囲内に属する。
【図面の簡単な説明】
【００１０】
【図１】本実用新案に係る最良の実施例を示す図である。
【符号の説明】
【００１１】
１  筐体
２  放熱装置
３  冷却ファン
４  パワー電子スイッチ
５  変圧器
６  プリント基板
１１  風入口
１２  風出口
【図１】
0003123301.tif 000003
(57)【要約】      （修正有）【課題】可燃物として処理することができる、浸透性のない袋の外側の底又は外側の底と側面部分に、吸水性のある布や紙性の綿布を貼り付けた、袋付きの綿布と、上述と同じ素材を使って、作った綿布の片面全体に浸透性のないシートを貼った綿布を共に使うことにより、汚れが直接、手の皮膚に触れずに、汚れ物を残さず、完全に、密封して処理することができる。【解決手段】使い捨ての袋付き綿布本体１の袋の中に手を入れ、袋の外側の底の部分に貼り付けた綿布の３で汚れを包み込み、包包み込んだ手を上方に向け、汚れ物が、下方に落ちないようにし、ゴミ袋の内側に汚れ物がある状態にして、使い捨てのシート付き綿布本体を使って残りの汚れを完全に拭きとり、それを本体１の汚れている中に捨て入れて、本体１の胴の部分を片結びにして、袋の中の汚れ物を密封することで、衛生的に、完全に汚れ物を処理することに役だつ。【選択図】図１
0003123306.tif 000002
【実用新案登録請求の範囲】
【請求項１】
可燃物として処理することができる、浸透性のない素材で、できた袋の外側の底の部分、又は、外側の底と側面部分に布や紙性の綿布あるいは、吸水ポリマー入りの紙性の綿布を貼り付けたところを特徴とする使い捨ての袋付き綿布。
【請求項２】
可燃物として処理することができる、浸透性のない素材で、できたシートに布や紙性の綿布、あるいは、吸水ポリマー入りの紙性の綿布を貼り付けたところを特徴とする使い捨て綿布。
【考案の詳細な説明】
【技術分野】
【０００１】本考案は、可燃物として処理することができる浸透性のない素材で、できた袋の外側の底の部分又は、外側の底と側面部分に吸水性のある布や紙性の綿布あるいは、吸水性ポリマー入りの紙性の綿布を貼り付けた使い捨ての袋付き綿布とこれを補助する為に必要な前述の物と同じ素材を使って作ったシートに綿布を貼り付けた使い捨てのシート付き綿布に関するものである。
【背景技術】
【０００２】地面や床などにこぼれた、生ごみなど液状の汚れ物を処理する際、素手やゴム手袋をはめて、布や紙、ティッシュペーパー等を使用して、ふきとりごみ袋やごみ箱に捨てて処理していた。
【考案の開示】
【考案が解決しようとする課題】
【０００３】素手で錦布を使って汚れ物を処理する場合、汚れが直接、皮膚に付き不衛生なことやゴム手袋を手にはめる手間や時間が、かかることを可燃物として処理することができる浸透性のない使い捨て袋付き綿布と可燃物として処理できる浸透性のないシートを貼り付けた使い捨て綿布の両方を使うことにより、衛生的に完全に汚れ物を処理でき、手間や時間の無駄をなくすことも可能になり、前述の欠点を解決しようとするものである。
【課題を解決する為の手段】
【０００４】本考案は、可燃物として処理することができる浸透性のない素材で、できた袋の底の部分、又は、外側の底と側面部分に吸水性のある布や紙の綿布あるいは、吸水ポリマー入りの紙性の綿布を貼り付けた使い捨ての袋付きの綿布を使い、主に液状の汚れ物の大体を掴み、拭きとり、前述のものと同じ素材を使用した、浸透性のないシートに、前述のものと同じ吸水性のある綿布を貼り付けた綿布を使って、前述のもので取り切れなかった汚れを完全に拭きとって、これを前述の袋付き綿布の袋の中に捨て入れて、密封することで、汚れが直接、皮膚に触ることなく、衛生的に処理でき、且ゴム手袋がないときの緊急時や、ゴム手袋をはめる手間と時間の無駄をなくすことを解決する。
【考案の効果】
【０００５】本考案の可燃物として処理することができる使い捨ての浸透性のない袋付きの綿布とこれを補助する可燃物として処理することができる使い捨ての浸透性のないシートを貼った綿布は、液体などの汚れ物を拭きとり、密封して完全に処理するまで直接、皮膚に触れることなく、衛生的に処理ができ、手間と時間の無駄をなくすことに役立つ。
【考案の実施する為の最良の形態】
【０００６】可燃物として処理することができる、浸透性のない素材で作った袋の外側の底の部分、又は、外側の底と側面部分に、吸水性のある布や紙性の綿布、あるいは、吸水ポリマー入りの紙性の綿布を貼り付けた、片手もしくは、両手が入る大きさの使い捨て袋付き綿布の袋の中に手を入れ、袋の外側の底の部分に貼り付けた綿布で、液体まじりの汚れ物を包み込み、包み込んだ手を上方に向け、汚れが、下方に落ちないように、拭きとった側が、上方を向いた状態で、残りの汚れを、前述と同じ素材で作った、使い捨てのシート付き綿布を使い、完全に拭きとりそれを前述の袋の中に捨て入れて、汚れ物を全て閉じ込め、袋の胴の部分を片結びして、密封してしまうことができる。
【実施例】
【０００７】以下、添付図面に従って実施例を説明する。図１の袋の口から手を入れ、袋の底に手の掌をあてる。その状態で液体混じりの汚れ物を拭きとると同時に汚れ物を包み込み、包み込んだ手をそのまま上方に向け返し、下方に向いた袋の口を、上方にめくるように返していくと、袋の口が上方に向き、内側の面と外側の面が、逆の状態になり、外側にあって、汚れ物を吸いとった吸水面が、内側に閉じ込められる。【０００８】汚れが、直接、手の皮膚に触れずに済む［図３］の４を使い、［図１］の１を使って取り残した、汚れ物を完全に拭きとる。【０００９】［図１］の１で、汚れ物を吸い取った綿布が、内側に入った状態の［図１］の１の袋の口の中へ、汚れ物の残りを完全に拭きとった［図３］の４を捨て入れ、［図１］の１の袋の胴部を片結びなどで密封して、汚れ物の処理を完了する。
【図面の簡単な説明】
【００１０】
【図１】本考案の使い捨て袋付き綿布の一実施例を示す立体図である。
【図２】本袋付き綿布の一部切欠断面図である。
【図３】本考案の［図１］とすべて同じ素材を使って作った［図１］を補助する使い捨てのシート付き綿布の立体図である。
【符号の説明】
【００１１】１  使い捨ての袋付き綿布本体
２  浸透性のない袋
３  綿布
４  使い捨てのシート付綿布本体
５  浸透性のないシート
【図１】
0003123306.tif 000003
【図２】
0003123306.tif 000004
【図３】
0003123306.tif 000005
(57)【要約】【課題】本考案は、２枚以上のフロートガラスを特殊中間膜にて貼り合わせた物で不燃性、割れても破片が飛散しにくく、対貫通性を有する表示板用前面透明パネルである【解決手段】２枚以上のフロートガラス１を特殊中間膜２にて貼り合わせる事で、破れても飛散しにくく、対貫通性を有するガラスとなった。【選択図】図１
0003123316.tif 000002
【実用新案登録請求の範囲】
【請求項１】
表示板用前面透明パネルとして、フロートガラス２枚以上を特殊中間膜にて貼り合わせた物で、不燃性、割れても破片が飛散しにくく耐貫通性を有するガラス。
【考案の詳細な説明】
【技術分野】
【０００１】本考案は、不燃性、飛散防止、耐貫通性を合わせ持つガラスである。
【背景技術】
【０００２】従来、表示器の前面板として使用されていたフロートガラス、強化ガラス、樹脂板等は事故、災害発生時に割れて破片が飛び散る、燃えて有毒ガスが発生する等の危険性が有った。
【考案の開示】
【考案が解決しようとする課題】
【０００３】割れて破片が飛び散る、燃えて有毒ガスを発生するという前述の欠点を解決するものである。
【課題を解決するための手段】
【０００４】２枚以上のフロートガラスを特殊中間膜にて貼り合わせ不燃性、飛散防止の効果を有している。
【考案の効果】
【０００５】事故、災害発生時に割れても破片が飛び散らず、不燃性イコール有毒ガスを発生しない、人・環境にやさしいガラスである。
【考案を実施するための最良の形態】
【０００６】火災発生時、表示器外部より炎が進入するのを遮断し、割れても破片が飛散せず安全である。
【実施例】
【０００７】内照式表示器、屋内外広告・表示板等の前面パネルとして使用する。【０００８】ガラス表面に特殊アンダー前処理を施す事により、プリントの高率化を計ることが出来、デザイン性を容易にした。（符号３）【０００９】特殊中間膜に有色膜とプリントを施す事により、透明着色ガラスになる（符号４）
【図面の簡単な説明】
【００１０】
【図１】本考案の合わせガラスの基本構造である
【符号の説明】
【００１１】１．フロートガラス
２．特殊透明・有色中間膜
３．プリント（半透明トランス・ルーセンス）
４．透明・着色ガラス面
【図１】
0003123316.tif 000003
(57)【要約】【課題】  本考案は放射性同位元素を用いる水分密度計において、約２３０ｍｍ長さの線源棒の一端を計測器本体底部にねじ込み等により固定する。従って、計測器本体から線源棒が約２２０ｍｍ突出した状態になり、持ち運び時や取扱い時につまずきによる怪我や計測器の損傷のおそれがある。そこで、線源棒を随時に屈折可能な構造にすることで安全性を確保する。【解決手段】  本考案は計測器本体と線源棒の間にヒンジ機構を設けることで計測器本体に対して線源棒の方向が垂直から水平まで可動となり、必要に応じ線源棒を水平または垂直にすることで安全性の向上に役立つ。【選択図】図１
0003123314.tif 000002
【実用新案登録請求の範囲】
【請求項１】
放射性同位元素を用いた水分密度計において、計測器本体と線源棒の間にヒンジ機構を設けることで計測器本体に対する線源棒の角度を可動にしたことを特徴とする水分密度計。
【考案の詳細な説明】
【技術分野】
【０００１】  本考案は、土壌の水分と密度の測定のための水分密度計に用いる線源棒に関するものである。
【背景技術】
【０００２】  放射線を用いた水分密度計は、計測器本体とステンレス鋼（外径１６ｍｍ、長さ２３０ｍｍ程度）に放射性同位元素（３．７ＭＢｑ以下）が挿入された線源棒により構成されている。線源棒の一端を計測器本体の底面にねじ込み又は締め付け金具等で固定する。従って、計測器本体から線源棒約２２０ｍｍが突出した状態になり持ち運びや取扱いが不安定で安全性に欠ける。
【考案の開示】
【考案が解決しようとする課題】
【０００３】  土壌の水分と密度を計測する時には、線源棒を土中に差し込むため線源棒は計測器本体から突出した状態でなければならないが、測定点の移動やその他の取扱い時には突出した線源棒が邪魔になりつまずきによる怪我や計測器の損傷のおそれがある。従って、線源棒を随意に屈折可能な構造にすることで前述の問題点を解決しようとするものである。
【課題を解決するための手段】
【０００４】  本考案は、計測器本体の線源棒取付け部をヒンジ構造にすることで問題点を解決している。
【考案の効果】
【０００５】  上述のように、線源棒取付け部をヒンジ構造にすることにより随意に線源棒の屈折が可能であり、土壌水分と密度の計測時には線源棒を垂直にして土中に差し込み、その他の線源棒が地上にある時には水平にすることで線源棒へのつまずきが防止でき怪我や計測器の損傷防止の効果がある。
【考案を実施するための最良の形態】
【０００６】  計測器本体底部の線源棒取付け座と線源棒にピンを介したヒンジ構造を構成、或いは線源棒取付け座を分割し各々の間にピンを介しヒンジ構造を構成し、計測器本体に対して線源棒を垂直または水平に可動とする。また、線源棒を垂直にした時にはストッパにより垂直を維持する。
【実施例１】
【０００７】  以下、添付図面に従って実施例１を説明する。図１〜図３は何れも実施例１を示す。線源棒２−１の取付け座側一端を曲面とし、取付け座３−１と線源棒２−１を支持ピン４−１で接続することでヒンジを構成し、線源棒２−１は水平と垂直に可動となる。また、ストッパ５−１をねじ込むことにより線源棒は垂直に固定できる。
【実施例２】
【０００８】  以下、添付図に従って実施例２を説明する。図４〜図６は何れも実施例２を示す。取付け座３−２をコの字型とし、中抜した部分に可動子４−２と支持ピン５−２で接続することでヒンジを構成し、可動子４−２に線源棒２−２を固定することで線源棒２−２を水平と垂直に可動となる。また、ストップピン６−２をねじ込むことにより線源棒２−２は垂直に固定できる。
【図面の簡単な説明】
【０００９】
【図１】  実施例１の線源棒を水平にした状態を示す正面図である。
【図２】  実施例１の線源棒を垂直にした状態を示す正面図である。
【図３】  図２のヒンジ部を拡大した正面図である。
【図４】  実施例２の線源棒を垂直にした状態を示す正面図である。
【図５】  実施例２の線源棒を水平にした状態を示す正面図である。
【図６】  図５のヒンジ部を拡大した底面図である。
【符号の説明】
【００１０】１  計測器本体
２−１  線源棒
３−１  取付け座
４−１  支持ピン
５−１  ストッパ
２−２  線源棒
３−２  取付け座
４−２  可動子
５−２  支持ピン
６−２  ストップピン
【図１】
0003123314.tif 000003
【図２】
0003123314.tif 000004
【図３】
0003123314.tif 000005
【図４】
0003123314.tif 000006
【図５】
0003123314.tif 000007
【図６】
0003123314.tif 000008
(57)【要約】【課題】  放射性同位元素を用いた水分密度計において、計器本体より線源棒を取外した際に計器本体の電源の開閉に関係なく常時、線源棒離脱を表示灯やブザーで示して線源棒の紛失を防止する。【解決手段】計器本体１の線源棒装着部３にスイッチ機能を併せ、計器本体１に表示灯６ａ及びブザー６ｂとこれらの動作回路４を設ける。回路電源は計器に内臓の鉛蓄電池５から直接供給することで計器本体１の電源スイッチの開閉に関係なく作動する。この機構により線源棒を計器本体から取外された状態になると表示灯やブザーが点滅し線源棒が計器本体と分離状態であることを取扱者に視聴覚的警告をなし、線源棒の紛失を防止する。【選択図】図１
0003123313.tif 000002
【実用新案登録請求の範囲】
【請求項１】
放射性同位元素を用いた水分密度計において計器本体から線源棒を取外した時に、計器本体電源の開閉に関係なく計器本体に設けた表示灯およびブザー、或いは表示灯又はブザーが作動することを特徴とする水分密度計。
【考案の詳細な説明】
【技術分野】
【０００１】  本考案は、放射性同位元素を用いた土壌の水分と密度を計測するための水分密度計に関するものである。
【背景技術】
【０００２】  放射線を利用した水分密度計は道路や河川の土木工事で土壌の締め固め度や空気間隙率などの測定に広く利用されている。水分密度計は計器本体とステンレス鋼（外径１６ｍｍ、長さ２３０ｍｍ程度）に放射性同位元素（３．７ＭＢｑ）が封入された線源棒及び標準体ボックスから構成されている。線源棒は土壌測定の際には計器本体に装着されるが、測定地点の自然放射線の線量率も測定する必要がありこの際には計器本体から線源棒を２０ｍ隔離する。従って、計器本体と線源棒は着脱できる構造になっている。誤操作防止のために計器本体の電源を入れた状態で土壌測定時に線源棒が装着されていない事を表示する機構は備わっているが線源棒の紛失防止に寄与するものではない。
【考案の開示】
【考案が解決しようとする課題】
【０００３】  前述のように計器本体より線源棒を取外した際、線源棒は比較的小物であることから工事現場や保管場所又はこれらの間の移動中で置き忘れや紛失することがある。線源棒の紛失は計器本体に線源棒が装着された状態での発生は無く取外された状態で生じている。そこで計器本体から線源棒を取外した時に電源の開閉に関係なく自動的に線源棒が離脱状態であることを表示することで前述の問題点を解決しようとするものである。
【課題を解決するための手段】
【０００４】  本考案は、計器本体の線源棒装着部に線源棒支持機構の外に電源スイッチとしての機能と計器本体の見易い位置に表示灯及びブザー又はそのいずれか、並びに計器内部にそれらの駆動回路を設けた。この回路電源は計器本体に内臓の鉛蓄電池から直接供給することで計器本体の電源スイッチの開閉に関係なく動作するものとした。この機構により線源棒を取外した状態で表示灯が点灯又は点滅し、ブザーが発信する事で線源棒が分離状態であることを使用ならびに周囲の作業者に常に警告を与え前述の課題を解決している。
【考案の効果】
【０００５】  上述のように、計器本体から線源棒を取外した際に計器本体の電源スイッチの開閉に関係なく、自動的に計器本体の表示灯やブザーが点滅することで、昼夜を問わず取扱者や周囲の作業者に線源棒が離脱状態であることを警告するので線源棒の紛失防止に効果がある。
【実施例】
【０００６】  以下、添付図面に従って一実施例を説明する。計器本体底部７と一対の線源棒装着部３は間に絶縁シート８を挟みプラスチック製ネジ９で所定位置３固定することでスイッチとしての機能を持つ。一対の線源棒装着部はそれぞれリード線で計器本体内の表示灯及びブザーの駆動回路４に入力する。入力信号は表示灯及びブザーの駆動回路で反転後、発信し表示灯６ａ及びブザー６ｂへ出力される。表示灯は計器本体の上面に設けることで使用者に点滅状態を見易くしている。表示灯及びブザーの駆動回路への電源供給は計器本体に内蔵された鉛蓄電池５から直接供給することで計器本体の電源スイッチの開閉とは関係なく、常時の動作を可能にしている。
【考案を実施するための最良の形態】
【０００７】  線源棒装着部に耐久性かつ確実性のあるスイッチ機能を持たせるため、ステンレス製の線源棒装着部を適当な絶縁距離を保った２つ割り構造とし、線源棒を装着した時、両者に摺動接点としての役割を持たせる。また線源棒装着部が取付けられる計器本体底部はアルミニウム製であるため、線源棒装着部との間を絶縁シートで電気的に絶縁する。計器本体底部と絶縁シートには小さな孔をそれぞれ２箇所あけ、１対の線源棒装着部と表示灯及びブザーの駆動回路入力部をこの孔を通し結線する。線源棒装着部に線源棒を取付けた際には、１対の線源棒装着部と線源棒は導通し、計器本体内の基板側からみた入力信号はＨｉｇｈであるが、信号は表示灯及びブザーの駆動回路で反転出力され表示等及びブザーは消灯消音する。計器本体から線源棒を取外した際は基板側からみた入力信号はＬｏｗであるが表示灯及びブザーの駆動回路で反転出力され表示灯及びブザーは一定時間間隔で点滅する。基板への電源供給は計器本体に内蔵された鉛蓄電池（ＤＣ６Ｖ）から直接供給することで計器本体の電源スイッチの開閉に関係なく、しかも表示灯及びブザーの駆動回路の消費電力が小さいことから長時間に亘り動作が可能である。尚、線源棒装着部に簡易的にスイッチ機能を持たせるには、線源棒装着部を２つ割り構造にせず一体のままで線源棒の頭部が当たる計器本体底部にタクトスイッチを取付ける方法もあるが、スイッチ機構の耐久性は前者が優れている。
【図面の簡単な説明】
【０００８】
【図１】  計器本体の正面図である。
【図２】  計器本体の下面を示す。
【図３】  計器本体に線源棒を装着した状態を示す。
【図４】  線源棒装着状態を示す拡大した断面図である。
【図５】  線源棒装着部および線源棒を拡大した下面を示す。
【符号の説明】
【０００９】    １    計器本体
２    線源棒
３    線源棒装着部
４    表示灯及びブザーの動作回路
５    鉛蓄電池
６ａ  表示灯
６ｂ  ブザー
７    計器本体底部
８    絶縁シート
９    プラスチック製ネジ
【図１】
0003123313.tif 000003
【図２】
0003123313.tif 000004
【図３】
0003123313.tif 000005
【図４】
0003123313.tif 000006
【図５】
0003123313.tif 000007
(57)【要約】【課題】冷蔵庫内で保管する食材を長期にわたりその消臭機能が低下しないで使用出来、多様な色彩豊かなデザインで安価で大量生産が出来る多用途な冷蔵庫内消臭シートを提供する。【解決手段】表面第１層の消臭樹脂フィルムで形成するポリエチレンフィルムで消臭と防水機能及び汚れを拭き取りやすくし又、クッション性やシートの芯機能をもたせる不織布を裏面とする第２層に多様なデザインや色彩で印刷加工を施し第３層の通気性のあるポリエチレン系粘着其材でラミネート加工し用途に応じたサイズに加工して完成製品を製造する。【選択図】図１
0003123311.tif 000002
【実用新案登録請求の範囲】
【請求項１】
冷蔵庫内の棚部などに置き敷きするシートであって、前記表面樹脂フィルムにリン酸ジルコニウムの微粉末が練りこまれ、さらに、その裏面部を通気性のある不織布など繊維素材の両方又は、いずれか一方の任意箇所にデザインや色彩で印刷加工を施し表面部の樹脂フィルムと裏面不織布を通気性のある粘着基材でラミネートされた冷蔵庫内シート。
【請求項２】
表面のポリエチレン樹脂フィルムにリン酸ジルコニウムの微粉末を５容量％以下練りこんだフィルムで構成されている請求項１に記載の冷蔵庫内シート。
【考案の詳細な説明】
【考案の詳細な説明】
【技術分野】
【０００１】この考案は、安価で大量生産が出来、実用性にも優れる冷蔵庫内消臭シートに関する。
【背景技術】
【０００２】冷蔵庫内消臭シートとして既存の活性炭の微粉末を不織布など繊維に配合しているシートがほとんどで、市販されている既存のシートは冷蔵庫内で臭気を吸収する効果はあるが、臭気成分を分解する機能（消臭機能）はなく又、強力な臭気に対しては十分な効果が対応できない場合もあり、脱臭効果も継続性がない。又炭独特の黒色の単調な色彩商品である。【０００３】この冷蔵庫内消臭シートは、別紙図−２の１の表面第１層の樹脂フィルムあるいは、図−２の２の裏面第２層のクッション性や、マットの芯機能をもたせる通気性の良い不織布の両方又は、いずれか一方の任意箇所に多様なデザインや色彩で印刷加工を施し図−２の３の層である通気性のあるポリエチレン系粘着基材でラミネート加工して原反生地を製造し用途に応じたサイズに加工して完成品を製造するので大量生産が出来、安価で多様な用途の冷蔵庫内消臭シートとして消費者に提供できる。図−２の１の表面消臭樹脂フィルムの安定的な消臭効能と表面が樹脂のため冷蔵庫内での使用時の清掃拭き取りも簡単で防水性もあり、使い勝手が良い。
【考案の開示】
【考案が解決しようとする課題】上述した従来の消臭シートは活性炭を基材としているため、脱臭機能はあるが、使用中に消臭機能の低下があり、安定的に消臭効能のあるシートではない。又炭使用のため、黒色が主なるカラーなので単調な色彩で使用範囲も限定される。
【実施例】
【０００４】この消臭シートは、別紙図−２の１で表面第１層にポリエチレンにリン酸ジルコニュウムの微粉末を５容量％以下練りこんだフィルムで構成されているのが望ましい。尚ポリエチレンは低温に強く安価で又、非塩ビのオリフィン系なので比較的低温度で焼却できるので環境にもやさしく好ましい。【０００５】別紙図−２の１の樹脂フィルム基材に練りこんだリン酸ジルコニュウムは硫化水素、トリメチルアミン、アンモニア、ビリジンなどを分解する機能を持ち、長期使用にも消臭効果の低下がおこらない。したがって従来の活性炭基材の脱臭効能維持のためである不可避の定期交換が不要である。【０００６】別紙図−２の１の表面の樹脂フィルムの物性は、そのフィルムに練り混むリン酸ジリコニュウムの微粉末は、平均の粒径が０．９μｍ以下が望ましい。このリン酸ジリコニュウムの微粉末は添加量の上限が５容量％程度が望ましい。５容量％以下の添加量でも消臭効果がある。【０００７】リン酸ジルコニュムは、東亜合成（株）製「ケスモン（商品名）」、平均粒径０．９μｍを使用している。このリン酸ジルコニウムの微粉末「ケスモン」は、アンモニア、ビリジン、トリメチルアミンなどに対する消臭の効能に優れ、低濃度域の悪臭でも確実に消臭することが実証されている。また、これを樹脂にねりこんでいるため、飛散して人が吸入する事態が起こらず、安全に関しても問題がない。【０００８】別紙図−２の１の樹脂フィルムはポリエチレンをベースに使用しているので、−３０℃の耐冷温度を有し、そのフィルム厚は、０．０６ｍｍとしたが、フィルムの厚みは、特段限定はなくもっと厚くしてもよい。又別紙図−２の２の不織布はポリプロピレン材とし、ｍ２／３０ｇ〜ｍ２／５０ｇ以下位の目付き量がマットのクッション性や通気性等においても望ましい。【０００９】別紙図−２の３のラミネート部の接着基材は別紙図−２の１の表面樹脂フィルムと別紙図−２の２の裏面不織布の材質は低温にも強く通気性のあるポリエチレン系が望ましい。
【考案の効果】
【００１０】上述したように、別紙図−３の４の冷蔵庫内消臭マットは、製造過程で、上記、別紙図−２の１の表面消臭樹脂フィルムの原反生地と別紙図−２の２の裏面不織布原反生地を別紙図−２の３の粘着基材のラミネート加工による消臭生地とし安価で量産性にもすぐれている。
【００１１】例えば、、別紙図−１の４の冷蔵庫内消臭シートの表面別紙図−２の１にデザインを施し印刷加工をして冷蔵庫の使用時に食品の賞味期限を古い順に置くようなデザインや色彩など容易に加工できるし又デザイン色彩を工夫することにより、食材の整理整頓やその他の冷蔵庫の食材保管使用時のバリエーションが大きくひろがる。
【図面の簡単な説明】
【００１２】
【図１】この冷蔵庫内消臭シートの実施形態を示す平面図
【図２】同上のシートの拡大側面図
【図３】同上のシートの使用状態を示す斜視図
【符号の説明】
【００１３】１冷蔵庫内消臭シートの表面樹脂フィルム
３ラミネート基材粘着層
２冷蔵庫内消臭シートの裏面不織布
【図１】
0003123311.tif 000003
【図２】
0003123311.tif 000004
【図３】
0003123311.tif 000005
(57)【要約】【課題】  本考案は放射性同位元素を用いる水分密度計において、放射性同位元素が挿入された線源棒に付属物を固着させ視覚的に大きな構造物とすることで線源棒の見落としによる紛失や運搬中の紛失を防止するもの。【解決手段】  本考案は計測器本体の底部に嵌め合う外枠を設け、外枠の底板に線源棒を固着させるもので、自然放射線量を測定する時は当該外枠を計測器本体から隔離し、土壌の水分と密度を測定する時には当該外枠に計測器本体を嵌め合わせて使用する。外枠には蛍光赤色等の彩色を施すことで線源棒の紛失防止効果が更に増す。【選択図】図２
0003123315.tif 000002
【実用新案登録請求の範囲】
【請求項１】
放射性同位元素を用いた水分・密度計において、計測器本体に脱着可能な嵌め合う外枠を設けて外枠の底板に線源棒を固定したことを特徴とする水分密度計。
【考案の詳細な説明】
【技術分野】
【０００１】  本考案は、土壌の水分密度の測定に用いる水分密度計に関するものである。
【背景技術】
【０００２】  放射線を用いた水分・密度測定計は一般に道路や河川の土木工事に使用され、装置は計測器本体とステンレス鋼（外径１６ｍｍ、長さ２３０ｍｍ程度）に放射性同位元素（３．７ＭＢｑ）が挿入された線源棒により構成されている。計測作業では予め計測地域の自然放射線量を計測器本体により測定しなければならない。この際は線源棒を自然放射線量計測に支障のない距離として計測器本体から２０ｍ以上隔離しなければならない。しかし土壌の水分と密度を計測する時には計測器本体と線源棒は組み込んで一体化しなければならない。故に計測器本体と線源棒は着脱が出来る構造になっている。計測器本体から分離した線源棒は比較的小さな棒状であり、作業現場に置忘れて紛失することや保管場所から測定地の道中で紛失することがある。紛失した線源棒は人への無用な被爆の危険性があり、法規制上の問題もさる事ながら社会的に容認され難い環境になってきた。
【考案の開示】
【考案が解決しようとする課題】
【０００３】  放射性同位元素が挿入された線源棒が比較的小物であることから、工事現場や保管場所から計測地の道中で紛失する事があり危険である。従って、線源棒に付属物を固着させることで視覚的に大きな構造物とし前述の置忘れや紛失を最大限防止し、且つ計測器本体と線源棒の機能的着脱が可能な構造にすることで前述の問題を解決しようとするものである。
【課題を解決するための手段】
【０００４】  本考案は、放射性同位元素を用いた水分密度計において計測器本体の底部に枠を設け、線源棒を枠に固着し、枠と計測器本体は固着せず定位置に収まる構造とする。自然放射線量を測定する時は線源棒付枠を計測器本体から隔離し、また土壌の水分と密度を測定する時には線源棒付枠の上に測定器本体を重ねて使用することで問題点を解決している。
【考案の効果】
【０００５】  上述の様に、線源棒を枠と一体化させることで線源棒が視覚的に大きな構造物となり見落としによる置き忘れや運搬途上での紛失の防止に効果がある。また枠を彩色することにより紛失防止効果が更に大きくなる。
【考案を実施するための最良の形態】
【０００６】  計測器本体の底部外周が嵌まり込むようにした金属枠底面の線源棒位置に金属板を張って線源棒を通常の作業では取り外せないように固定した外枠を用いて土壌の水分・密度を測定する。即ち測定地域の自然放射線量を測定する際には計測器本体から当該外枠を分離して外枠を２０ｍ以上隔離し測定する。また土壌の水分と密度を測定する際には当該外枠に計測器本体を嵌めこみ測定をする。
【実施例】
【０００７】  以下、添付図面に従って一実施例を説明する。１金属枠は内側に計測器本体をスムースに嵌る寸法であり、２底板は線源棒を取付ける座と１金属枠の剛性を維持する役割を持つもので１と２は溶接等で完全に固定する。尚、１と２に蛍光赤色等で彩色する。３の線源棒は２の底板とネジ嵌合としネジ緩み防止剤を施工する。自然放射線量の測定時には計測器本体と当該外枠を２０ｍ以上隔離して使用し、土壌の水分と密度を測定する時には当該外枠に計測器本体を嵌めこみ使用する。
【図面の簡単な説明】
【０００８】
【図１】  本考案の、外枠付水分密度計の外枠の実施例を示す正面図である。
【図２】  本外枠の、計測器本体と嵌め合わせた状態を示す断面図である。
【符号の説明】
【０００９】    １  金属枠
２  底板
３  線源棒
４  計測器本体
５  放射性同位元素
【図１】
0003123315.tif 000003
【図２】
0003123315.tif 000004
(57)【要約】      （修正有）【課題】バルサ材のサーフボード破損時に樹脂下に侵入する海水等からバルサ材を保護する。【解決手段】バルサ材３の上にべんがらを含む桐油２を塗布後、グラスファイバーを含むポリエステル樹脂１で加工する。【選択図】図１
0003123320.tif 000002
【実用新案登録請求の範囲】
【請求項１】
べんがらを含む桐油を塗布後グラスファイバー加工したバルサ材サーフボード
【考案の詳細な説明】
【技術分野】
【０００１】  本考案は、バルサ材サーフボードに破損時に海水等が侵入してもバルサ材が腐朽しない様にしたものである。
【背景技術】
【０００２】  従来、バルサ材で作成するサーフボードは、表面にグラスファイバー加工するのみで、海水等の侵入に対し耐水性、防腐性の面は脆弱で、バルサ材の腐朽という問題があった。
【考案の開示】
【課題を解決しようとする課題】
【０００３】  解決しようとする問題点は、グラスファイバーの破損個所より侵入する海水等から如何にバルサ材を守るかである。
【課題を解決しようとする手段】
【０００４】  上記課題を達成するために、バルサ材の表面にべんがらを含む桐油を塗布させた後にグラスファイバーで加工した。
【考案の効果】
【０００５】  桐油とべんがら両方に防水、防腐性があるためグラスファイバー破損個所からの海水侵入によるバルサ材の腐朽が防げる。又同時に桐油の明度によりべんがらの持つ色を際立たせる為装飾性が増した。
【考案を実施するための最良の形態】
【０００６】  本考案は、防水、防腐を目的としたバルサ材サーフボードの為の加工方法で、それを図面について説明すれば、バルサ木部３の表面上にべんがらを含む桐油２を塗布乾燥後、グラスファイバー加工１をしたものである。
【実施例】
【０００７】  図１のバルサ材３の表面上にべんがらを含む桐油２を塗布乾燥後、その上からグラスファイバーを含むポリエステル樹脂１で加工した。
【図面の簡単な説明】
【０００８】
【図１】  サーフボード表面を示した断面図である。
【符号の説明】
【０００９】  １    グラスファイバーを含むポリエステル樹脂
２    べんがらを含む桐油
３    バルサ木部
【図１】
0003123320.tif 000003